(57)【要約】【課題】電源をオン入力するにあたり、誤操作を防止するとともに操作性を高めることである。【解決手段】撮影レンズ２を含む光学系と、この光学系を介して入射された光を撮像して画像データを取得する撮像手段と、この撮像手段へ電源を供給する第１の電源供給手段と、撮像手段を除く回路部に電源を供給する第２の電源供給手段と、第１、第２の電源供給手段による電源供給を指示する電源キー６、電源オン＋撮影モードキー８、電源オン＋再生モードキー９と、電源キー６、電源オン＋撮影モードキー８、電源オン＋再生モードキー９による指示をキャンセルし、また入力を受け付ける把持部３と、把持部３の入力を検出することにより、前記キャンセルを無効にする制御手段と、を備える。【選択図】図１
2006317586.tif 000002
【特許請求の範囲】
【請求項１】
光学系と、
前記光学系を介して入射された光を撮像して画像データを取得する撮像手段と、
この撮像手段へ電源を供給する第１の電源供給手段と、
前記撮像手段を除く回路部に電源を供給する第２の電源供給手段と、
前記第１の電源供給手段による電源供給を指示する第１の電源投入キーと、
前記第２の電源供給手段による電源供給を指示する第２の電源投入キーと、
前記第１の電源投入キー及び前記第２の電源投入キーによる指示をキャンセルするキャンセル手段と、
入力を受け付ける入力手段と、
前記入力手段の入力を検出することにより、前記キャンセル手段を無効にする制御手段と、
を備えることを特徴とする撮像装置。
【請求項２】
前記光学系に入射する光を遮断する光学系バリアを備え、
前記制御手段は、前記入力手段の入力を検出することにより、前記光学系バリアを移動して前記光の遮断を解除することを特徴とする請求項１に記載の撮像装置。
【請求項３】
前記入力手段は、筐体に設けられた把持手段であることを特徴とする請求項１又は２に記載の撮像装置。
【発明の詳細な説明】
【技術分野】
【０００１】
本発明は、撮像装置に関する。
【背景技術】
【０００２】
従来、光を電気信号に変換する撮像素子を備え、被写体からの光を前記撮像素子で撮像し、その画像信号をデジタルの画像データに変換することにより撮影を行うデジタルカメラがあった。
【０００３】
デジタルカメラは、撮影タイミングを入力するためのシャッタキーを備える。これに関して、デジタルカメラにおいて、シャッタキーを他のキーと組み合わせて、撮影モードの切り替え入力が可能な構成が考えられている（例えば、特許文献１参照）。
【０００４】
また、デジタルカメラは、電源のオン／オフを入力するための電源キーを備える。電源オフされたデジタルカメラにおいて、電源キーの押下により電源オンした後に、撮影を行う撮影モードを起動したり、画像の表示再生を行う再生モードを起動する。
【０００５】
具体的には、デジタルカメラにおいて、通常、電源オフの状態から、電源キーの押下により電源オンし、次いでモードキーの押下等により、撮影モード、再生モードを選択入力して各モードを起動するが、近年、電源オフの状態からの押下により撮影モード又は再生モードを直接起動できるダイレクトキーを備えるものが実施されている。このダイレクトキーにより、モード起動までの操作回数を減らすとともに、撮影モードにおいてシャッタチャンスを逃すことを防いだり、再生モードにおいて画像再生開始までの時間が短縮できる。
【特許文献１】特開平５−２７３１２号公報
【発明の開示】
【発明が解決しようとする課題】
【０００６】
しかし、上記シャッタキーを他のキーと組み合わせて操作する構成では、撮影モードの切り替え入力はできるが、電源のオン／オフが入力できないという問題があった。
【０００７】
また、従来のダイレクトキーは、電源のオン／オフを兼ね、起動までの手数を減らすために便利なキーであるが、誤操作を招くおそれがあった。具体的には、近年、デジタルカメラは小型化が要求され、それによりキーの配置が制約を受け、ダイレクトキーも操作において最適な大きさで最適な位置に設けることが難しいために誤操作を招くおそれがあった。
【０００８】
また、ダイレクトキーは、押しやすさが求められるキーであるので、逆に押下したくない場合にも間違って押下してしまうおそれがあるために、さらに誤操作を招くおそれがあった。
【０００９】
例えば、操作者の移動中に、鞄や服のポケットの中にデジタルカメラを電源オフの状態で入れておいた場合に、いつの間にかダイレクトキーが押下され、気が付いたときにはバッテリ切れが発生している等の事故が発生するおそれがあった。
【００１０】
本発明の課題は、電源をオン入力するにあたり、誤操作を防止するとともに操作性を高めることである。
【課題を解決するための手段】
【００１１】
上記課題を解決するために、請求項１に記載の発明は、
光学系と、
前記光学系を介して入射された光を撮像して画像データを取得する撮像手段と、
この撮像手段へ電源を供給する第１の電源供給手段と、
前記撮像手段を除く回路部に電源を供給する第２の電源供給手段と、
前記第１の電源供給手段による電源供給を指示する第１の電源投入キーと、
前記第２の電源供給手段による電源供給を指示する第２の電源投入キーと、
前記第１の電源投入キー及び前記第２の電源投入キーによる指示をキャンセルするキャンセル手段と、
入力を受け付ける入力手段と、
前記入力手段の入力を検出することにより、前記キャンセル手段を無効にする制御手段と、
を備えることを特徴とする撮像装置である。
【００１２】
請求項２に記載の発明は、請求項１に記載の撮像装置において、
前記光学系に入射する光を遮断する光学系バリアを備え、
前記制御手段は、前記入力手段の入力を検出することにより、前記光学系バリアを移動して前記光の遮断を解除することを特徴とする。
【００１３】
請求項３に記載の発明は、請求項１又は２に記載の撮像装置において、
前記入力手段は、筐体に設けられた把持手段であることを特徴とする。
【発明の効果】
【００１４】
請求項１に記載の発明によれば、入力手段の入力を検出することにより、キャンセル手段によるキャンセルを無効にするので、第１の電源投入キー、第２の電源投入キーの誤入力操作を防止できるとともに操作性を高めることができる。
【００１５】
請求項２に記載の発明によれば、入力手段の入力を検出することにより、光学系バリアを移動して光の遮断を解除するので、第１の電源投入キー、第２の電源投入キーの誤入力操作により光学系があらわになることを防ぐことができるとともに、そのあらわになった光学系を介して撮像手段の撮像が可能な状態に移行できる。
【００１６】
請求項３に記載の発明によれば、入力手段が筐体に設けられた把持手段であるので、筐体を確実に把持することができるとともに、その把持の際に入力手段の入力を行うことができて、さらに操作性を高めることができる。
【発明を実施するための最良の形態】
【００１７】
以下、添付図面を参照して本発明に係る好適な実施の形態を詳細に説明する。
【００１８】
先ず、図１〜図３を参照して本実施の形態の装置構成を説明する。図１に、本実施の形態の把持部３オフ状態でのデジタルカメラ１の外観構成を示し、（ａ）にデジタルカメラ１の正面図を示し、（ｂ）に同じく上面図を示し、（ｃ）に同じく下面図を示し、（ｄ）に同じく左面図を示し、（ｅ）に同じく右面図を示し、（ｆ）に同じく背面図を示す。図２に、把持部３オン状態でのデジタルカメラ１の正面の外観構成を示す。図３に、デジタルカメラ１の回路構成を示す。
【００１９】
図１に示すように、撮像装置としてのデジタルカメラ１は、略矩形の薄板状ボディ（筐体）の前面に、撮影レンズ２と、入力手段（把持手段）、キャンセル手段としての把持部３と、光学系バリアとしてのレンズバリア４と、ストロボ発光部５と、を配設し、上面には、第１の電源投入キーとしての電源キー６と、シャッタキー７と、を配する。
【００２０】
図２に示すように、撮影レンズ２は、後述するレンズ光学系２２に含まれ、ズーム動作や合焦動作が行われるものとするが、これに限定されるものではなく、薄型ボディに搭載するためにズーム動作や合焦動作を行わないこととしてもよい。
【００２１】
把持部３は、電源キー６、後述する電源オン＋撮影モードキー８、電源オン＋再生モードキー９による電源オンを入力可能な電源オン待機状態のオン／オフを入力するためのスイッチである。つまり、電源オン待機状態のオフ側に把持部３が移動されている場合に、電源キー６、電源オン＋撮影モードキー８、電源オン＋再生モードキー９による電源入力がキャンセルされ、電源オン待機状態のオン側に把持部３が移動されている場合に、電源キー６、電源オン＋撮影モードキー８、電源オン＋再生モードキー９による電源入力のキャンセルが無効にされる（解除される）。把持部３は、把持部３の誤入力防止を解除するための押しボタン３ａを備え、操作者の指により容易に把持が可能で、スライド式にオン／オフの入力が可能である。
【００２２】
図１（ａ）に示すように、レンズバリア４は、上下に移動可能で、待機状態オフ時には、撮影レンズ２を覆い入射光や埃等を遮断する。また、電源オン待機状態のオン時にレンズバリア４は、撮影レンズ２をあらわにするように移動される。
【００２３】
電源キー６は、１回押圧操作する毎に電源をオン／オフするキーである。シャッタキー７は、撮影モード時にレリーズを指示する一方で、メニュー選択等では設定／実行を指示するキーとしても機能するものとする。
【００２４】
また、デジタルカメラ１の背面には、第１の電源投入キー及び第２の電源投入キーとしての電源オン＋撮影モードキー８及び電源オン＋再生モードキー９と、ズームキー１０と、モードキー１１と、十字キー１２ａと、決定キー１２ｂと、表示部１３と、ストロボチャージランプ１４と、を配する。
【００２５】
電源オン＋撮影モードキー８は、電源オン待機状態時に、電源オンと、撮影モード起動とを同時に入力するためのキーである。つまり、電源オン待機状態時に電源オン＋撮影モードキー８を押下することにより、電源オフ時に電源キー６を押下しなくても直接撮影モードが起動できる。また、電源オン時に電源オン＋撮影モードキー８を押下することにより、電源オフが入力される。
【００２６】
電源オン＋再生モードキー９は、電源オン待機状態時に、電源オンと、表示部１３の再生モードとを同時に入力するためのキーである。つまり、電源オン待機状態時に電源オン＋再生モードキー９を押下することにより、電源キー６を押下しなくても直接再生モードを起動できる。また、電源オン時に電源オン＋再生モードキー９を押下することにより、電源オフが入力される。
【００２７】
ズームキー１０は、後述するレンズ光学系２２の駆動によるズームイン／アウトを入力するキーである。メニューキー１１ａは、各種メニューの選択時に操作するキーである。モードキー１１ｂは、撮影モード、再生モード等の各種モード選択時に操作するキーである。十字キー１２ａは、各種選択の入力を行うキーである。決定キー１２ｂは、十字キー１２ａで選択入力した事項の決定を行うキーである。
【００２８】
表示部１３は、バックライト付きのカラー液晶パネル、ＥＬ（ElectroLuminescent）ディスプレイ等で構成されるもので、撮影モード時には電子ファインダとしてスルー画像表示を行なう一方で、再生モード時には選択した画像を再生表示する。ストロボチャージランプ１４は、ＬＥＤ（Light Emitting Diode）等により構成され、ストロボ発光部５（のストロボ２９）のチャージが完了した場合に発光する。
【００２９】
図１（ｃ）に示すように、デジタルカメラ１の下面には、固定穴１５と、蓋付きのメモリカードスロット１６と、を配する。固定穴１５は、デジタルカメラ１を三脚等に固定するための穴である。メモリカードスロット１６は、デジタルカメラ１の記録媒体であるメモリカードが着脱自在に装着されるものとする。
【００３０】
また、図示しないが、デジタルカメラ１は、ＰＣ（Personal Computer）等と通信ケーブルを介して接続するスロットや、クレイドル等から電源供給するための接続部を有する。
【００３１】
次いで、図３を参照して、デジタルカメラ１の電子回路構成を説明する。デジタルカメラ１は、レンズバリア４を駆動するモータ２０と、モータ２０を制御する制御手段としてのレンズバリア駆動制御部２１と、撮影レンズ２を含むレンズ光学系２２と、撮像素子２３と、Ａ／Ｄ（アナログ／デジタル）変換部２４と、ＤＳＰ（Digital Signal Processor）２５と、キー操作部２６と、電源２７と、第１の電源供給手段及び第２の電源供給手段としての電源供給制御部２８と、ストロボ発光部５のストロボ２９と、ストロボ２９の発光を制御する発光制御部３０と、を備える。
【００３２】
また、デジタルカメラ１は、把持部自動検出部３１と、制御手段としての制御部３２と、画像処理部３３と、画像メモリ３４と、プレビューエンジン３５と、表示部１３及びストロボチャージランプ１４を制御するドライバ３６と、を備える。
【００３３】
撮像素子２３は、レンズ光学系２２の撮影光軸後方に配置されたＣＣＤ（Charge-Coupled Devices）、ＣＭＯＳ（Complementary Metal-Oxide Semiconductor）等の撮像素子であり、レンズ光学系２２を介して入射した光を変換してアナログの画像の電気信号を出力する。Ａ／Ｄ変換部２４は、撮像素子２３から入力した画像信号をデジタルの画像データに変換する。
【００３４】
ＤＳＰ２５は、Ａ／Ｄ変換部２４から入力した画像データに対して、画素補間処理及びγ補正処理を含むカラープロセス処理を行い、デジタル値の輝度信号Ｙ及び色差信号Ｃｂ，Ｃｒを生成する。
【００３５】
キー操作部２６は、電源オン＋撮影モードキー８、電源オン＋再生モードキー９、シャッタキー７、メニューキー１１ａ、モードキー１１ｂ、十字キー１２ａ、決定キー１２ｂの入力信号を制御部３２に出力する。
【００３６】
電源供給制御部２８は、バッテリ等の電源２７からデジタルカメラ１の各部への電源供給を制御する。
【００３７】
把持部自動検出部３１は、把持部３のオン／オフを検出して制御部３２に出力する。
【００３８】
制御部３２は、ＣＰＵ（Central Processing Unit）、ＣＰＵで実行される動作プログラムを固定的に記憶したＲＯＭ（Read Only Memory）及びワークメモリとして使用されるＲＡＭ（Random Access Memory）を備え、ＲＯＭに記憶された各種プログラムが読み出されてＲＡＭに展開され、その展開されたプログラムとＣＰＵとの協働により各種処理が実行され、デジタルカメラ１全体の制御動作を司る。
【００３９】
画像処理部３３は、ＤＳＰ２５から入力される輝度及び色差信号の画像データなどを元に、輝度調整やホワイトバランス調整等の各種画像調整、ＴＩＦＦ（Tagged Image File Format）、ＢＭＰ（BitMaP）等の規格に準拠した形式への画像変換、ＪＰＥＧ（Joint Photographic Coding Experts Group）、ＧＩＦ（Graphics Interchange Format）等の形式に対応した画像データの圧縮／伸長処理を行う。
【００４０】
画像メモリ３４は、デジタルカメラ１により撮影された画像や、図示しない外部機器とのデータ通信により取得された画像などの画像データを記憶するものである。画像メモリ３４は、デジタルカメラ１の記録媒体としてメモリカードスロット１６に着脱自在に装着されるメモリカード内に封入された不揮発性メモリである。例えば、装着される記録媒体としては、スマートメディア（登録商標）、メモリースティック（登録商標）、コンパクトフラッシュ（登録商標）、ＳＤ（Secure Digital）カード、ｘＤピクチャカード、ＰＣカード、ＩＣ（Integrated Circuit）カード等の各種カードを用いることができる。また、画像メモリ３４は別にデジタルカメラ１に内蔵されていてもよい。
【００４１】
プレビューエンジン３５は、輝度及び色差信号の画像データを元に、ビデオ信号を発生してドライバ３６に出力する。例えば、撮像され各種画像処理された画像データをビデオ信号に変換してドライバ３６に出力する。ドライバ３６は、ビデオ信号に基づいて表示部１３での画像表示を制御し、またストロボチャージランプ１４の点灯／消灯を制御する。
【００４２】
次に、図４を参照して、デジタルカメラ１の動作を説明する。図４（ａ）に、把持部３の押しボタン３ａ押下動作を示す。図４（ｂ）に、把持部３のスライド入力動作を示す。
【００４３】
先ず、デジタルカメラ１の電源オフの状態から電源オン及び撮影モード起動を行う動作を説明する。先ず、デジタルカメラ１の電源オフの状態では、把持部３がオフされており、全てのキー操作が無効になっており、レンズバリア４が閉まっている。また、押しボタン３ａを押下しないと把持部３が物理的にスライドできないような構造になっており、誤操作を防ぐ。
【００４４】
この電源オフ及び把持部３のオフ状態で、図４（ａ）に示すように、把持部３の押しボタン３ａが押下され、把持部３がスライド可能状態になる。そして、図４（ｂ）に示すように、押しボタン３ａが押下されたまま、把持部３がスライドされてオンされる。
【００４５】
把持部３がオンされると、電源供給制御部２８により電源２７からモータ２０、レンズバリア駆動制御部２１に電源供給され、レンズバリア駆動制御部２１によりモータ２０を介してレンズバリア４が移動され、撮影レンズ２が露出し、電源オン待機状態が起動される。
【００４６】
この電源オン待機状態において、電源オン＋撮影モードキー８が押下されると電源オン及び撮影モード起動が同時に入力され、電源オンされるとともに撮影モードが起動する。ここで、撮影モードでの撮影動作を簡単に説明する。
【００４７】
撮影モードでのモニタリング状態においては、図示しない光学系駆動部によりレンズ光学系２２の焦点位置、絞り位置が移動され、撮像素子２３が、図示しないタイミング発生器、垂直ドライバによって走査駆動され、一定周期毎に結像した光像に対応する光電変換出力を１画面分出力する。
【００４８】
この光電変換出力は、アナログ値の信号の状態でＲＧＢの各原色成分毎に適宜ゲイン調整された後に、Ａ／Ｄ変換部２４でデジタルの画像データに変換され、ＤＳＰ２５でデジタル値の輝度及び色差信号が生成される。
【００４９】
そして、プレビューエンジン３５により、上記輝度及び色差信号を元にビデオ信号が発生されドライバ３６に出力される。ドライバ３６は、プレビューエンジン３５から入力されたビデオ信号を表示部１３に画像として出力させる。この動作において、表示部１３は、撮影モード時には電子ファインダとして機能するもので、ビデオ信号に基づいた表示を行なうことで、画像をリアルタイムに表示することとなる。
【００５０】
このように表示部１３にその時点での画像がスルー画像としてリアルタイムに表示されている状態で、静止画撮影を行ないたいタイミングでキー操作部２６のシャッタキー７を押下すると、トリガ信号を発生する。
【００５１】
なお、ここではシャッタキー７が２段階のストロークで動作し、一般的に「半押し」と表現されている第１段階の操作状態でＡＥ（自動露光）処理を始めとする撮影の準備を行ない、一般的に「全押し」と表現されている、より強く押圧操作した第２段階の操作状態で撮影タイミング入力を実行するものとする。
【００５２】
制御部３２により、このトリガ信号に応じて、その時点での撮像素子２３からの１画面分の輝度及び色差信号の取り込み終了後、直ちに撮像素子２３からの画像取り込みが停止され、記録保存の状態に遷移する。
【００５３】
この記録保存の状態では、制御部３２により、取り込んだ１フレーム分の輝度及び色差信号が画像処理部３３によりＡＤＣＴ（Adaptive Discrete Cosine Transform：適応離散コサイン変換）、エントロピ符号化方式であるハフマン符号化等の処理によりデータ圧縮される。
【００５４】
そして、圧縮化により得た符号データが１画像のデータファイルとして画像メモリ３４に書き込まれる。そして、１フレーム分の輝度及び色差信号の圧縮処理及び画像メモリ３４への全圧縮画像データの書込み終了に伴なって、制御部３２により、撮像素子２３における画像取り込みが再び起動される。
【００５５】
上記では、電源オン＋撮影モードキー８の押下により、撮影モードが起動される場合を説明したが、電源オフで且つ把持部３のオン時に、電源キー６が押下され、次いでモードキー１１ｂ等の操作入力により撮影モード起動指示が入力されることにより、撮影モードを起動することも可能である。
【００５６】
また、撮影モード起動中に、電源オン＋撮影モードキー８が押下されることにより、把持部３がオン状態のまま電源オフされる。
【００５７】
次いで、デジタルカメラ１の電源オフの状態から電源オン及び再生モード起動を行う動作を説明する。先ず、デジタルカメラ１の電源オフ及び把持部３オフの状態で、操作者により押しボタン３を押下したまま把持部３がスライドされてオンされ、レンズ光学系２２があらわになる。
【００５８】
そして、この電源オフ及び把持部３オンの状態で、電源オン及び再生モードキー９が押下されることにより、電源がオンするとともに再生モードが起動する。ここで、再生モード時の画像再生を簡単に説明する。
【００５９】
再生モード時には、操作者からの十字キー１２ａ、決定キー１２ｂを介する入力等に基づいて、制御部３２により画像メモリ３４に記録されている画像データが選択的に読み出され、画像処理部３３により、撮影モード時に圧縮した手順と全く逆の手順で圧縮されている画像データが伸長され、プレビューエンジン３５により伸長した画像データを元にビデオ信号が発生されてドライバ３６に出力されて表示部１３で再生出力（画像表示）される。
【００６０】
上記では、電源オン＋再生モードキー９の押下により、再生モードが起動される場合を説明したが、電源オフで且つ把持部３のオン状態で、電源キー６が押下され、次いでモードキー１１ｂ等の操作入力により再生モード起動指示が入力されることにより、再生モードを起動することも可能である。
【００６１】
また、再生モード起動中に、電源オン＋再生モードキー９が押下されることにより、把持部３がオン状態のまま電源オフされる。
【００６２】
以上、本実施の形態によれば、把持部３のスライド入力を検出することにより、電源キー６、電源オン＋撮影モードキー８及び電源オン＋再生モードキー９による電源の投入のキャンセルを無効にするので、これらのキーの誤入力操作を防止できるとともに操作性を高めることができる。
【００６３】
また、把持部３のスライド入力を検出することにより、レンズバリア４を移動してレンズ光学系２２への入射光等の遮断を解除するので、電源キー６、電源オン＋撮影モードキー８及び電源オン＋再生モードキー９の誤入力操作によりレンズ光学系２２があらわになることを防ぐことができるとともに、そのあらわになったレンズ光学系２２を介して撮像素子２３等による撮像が可能な状態に移行できる。
【００６４】
また、把持部３が筐体に設けられ操作者により把持されるので、操作者が筐体を確実に把持することができるとともに、その把持の際に把持部３のスライド入力を行うことができて、さらに操作性を高めることができる。
【００６５】
また、電源オン＋撮影モードキー８、電源オン＋再生モードキー９は、それぞれ撮影モード起動、再生モード起動と、電源オンと、の同時入力を受け付けるので、これらのキーの誤入力操作による電源オンと、撮影モード起動、再生モード起動とを防止できる。
【００６６】
また、押しボタン３ａの押下中に把持部３の入力が可能となるので、把持部３の誤入力操作を確実に防ぐことができる。
【００６７】
なお、上記実施の形態における記述は、本発明に係る撮像装置の一例であり、これに限定されるものではない。
【００６８】
例えば、上記実施の形態においては、電源オン＋撮影モードキー８、電源オン＋再生モードキー９が、それぞれ撮影モード起動、再生モード起動と、電源オンと、の同時入力を受け付けるものとしたが、この構成に限定されるものではない。電源オンと、その他の機能実行と、の同時入力を受け付ける電源投入キーを設ける構成としてもよい。
【００６９】
また、上記実施の形態においては、撮像装置として静止画像を撮影するデジタルカメラを説明したがこれに限定されるものではない。例えば、本発明の撮像装置としては、携帯電話機、ＰＨＳ（Personal Handyphone System）、ＰＤＡ（Personal Digital Assistant）等に搭載される撮像ユニットとしてもよい。また、撮像装置として、動画像を撮影するデジタルムービーカメラ等や、その他の撮像装置としてもよい。
【００７０】
また、上記実施の形態における各装置等の各構成要素の細部構成、及び細部動作に関しては、本発明の趣旨を逸脱することのない範囲で適宜変更可能であることは勿論である。
【図面の簡単な説明】
【００７１】
【図１】本発明に係る実施の形態の把持部３オフ状態でのデジタルカメラ１の外観構成を示す図である。（ａ）はデジタルカメラ１の正面図であり、（ｂ）は同じく上面図であり、（ｃ）は同じく下面図であり、（ｄ）は同じく左面図であり、（ｅ）は同じく右面図であり、（ｆ）は同じく背面図である。
【図２】把持部３オン状態でのデジタルカメラ１の正面図である。
【図３】デジタルカメラ１の回路構成を示すブロック図である。
【図４】（ａ）は把持部３の押しボタン３ａ押下動作を示す図であり、（ｂ）は把持部３のスライド入力動作を示す図である。
【符号の説明】
【００７２】
１  デジタルカメラ
２  撮影レンズ
３  把持部
３ａ  押しボタン
４  レンズバリア
５  ストロボ発光部
６  電源キー
７  シャッタキー
８  電源オン＋撮影モードキー
９  電源オン＋再生モードキー
１０  ズームキー
１１  撮影キー
１２ａ  十字キー
１２ｂ  決定キー
１３  表示部
１４  ストロボチャージランプ
１５  固定穴
１６  メモリカードスロット
２０  モータ（Ｍ）
２１  レンズバリア駆動制御部
２２  レンズ光学系
２３  撮像素子
２４  Ａ／Ｄ変換部
２５  ＤＳＰ
２６  キー操作部
２７  電源
２８  電源供給制御部
２９  ストロボ
３０  発光制御部
３１  把持部自動検出部
３２  制御部
３３  画像処理部
３４  画像メモリ
３５  プレビューエンジン
３６  ドライバ
【図１】
2006317586.tif 000003
【図２】
2006317586.tif 000004
【図３】
2006317586.tif 000005
【図４】
2006317586.tif 000006